(57)【要約】      （修正有）【課題】人損事故にならないようにした安全な紙葉類投入機構を備えた文書細断機を提供する。【解決手段】紙葉類投入機構を有する文書細断機で、紙葉類投入機構は、基枠５に挿入受板部６aと案内受板部６bと送出受板部６cとからなる投入受板体６を固設し、投入受板体６の挿入受板部６aに相対するように上面揺動案内部材７を配設して開閉自在な投入口１となし、案内受板部６bに相対応するように案内空間構成部材８を配設して案内空間路２となし、送出受板部６cに相対応するように送出口構成部材９を配設することにより案内送出口３を構成するようになし、異物が挿入されたり巻き込まれたりして投入口１の上面揺動案内部材７が規定間隔以上に開成したときは、開閉検知スイッチ１１が検知作動して、細断用カッター４の回転を緊急停止するようにしたことを特徴とする安全な紙葉類投入機構を備えた文書細断機。【選択図】図１
2008168242.tif 000002
【特許請求の範囲】
【請求項１】
紙葉類の投入口とそれに続く案内空間路と案内送出口とを形成し、前記投入口から紙葉類を投入すると、当該投入口に続く案内空間路と案内送出口を経て回転する細断用カッターに送り、紙葉類を細断することのできる紙葉類投入機構を有する文書細断機であって、
当該紙葉類投入機構は、基枠に挿入受板部とそれに続く案内受板部とその先に続く送出受板部とからなる投入受板体を固設し、当該投入受板体の挿入受板部に相対応するように上面揺動案内部材を配設して開閉自在な投入口となし、当該案内受板部に相対応するように案内空間構成部材を配設して案内空間路となし、当該送出受板部に相対応するように送出口構成部材を配設することにより案内送出口を構成するようになし、
前記投入口を構成する上面揺動案内部材は、投入口の挿入口側が常開位置より開く領域でのみ揺動自在に枢着するとともに、常開位置係止ストッパと、付勢用発条又は付勢用重しよりなる付勢手段と、開閉検知スイッチとを当該上面揺動案内部材に関わるように配設し、前記上面揺動案内部材が常開位置係止ストッパにより投入口の挿入口が平時は規定間隔に開口した状態となるようにするとともに、前記付勢手段により投入口を構成する上面揺動案内部材が開く方向に揺動する際には安全性の確保できる範囲の所定の負荷がかかるようになし、
前記案内空間路は、投入口の近くから中間部までは投入口の規定間隔より大きい間隔空間部を形成し案内送出口の近くでは次第に狭い間隔空間となるように形成しながら案内送出口にまで到るようになし
前記案内送出口は、挿入されてきた紙葉類を細断カッター方向に送り出すように形成しておき、
投入口に規定量以上に多量の紙葉類が挿入されたり、異物が挿入されたり巻き込まれたりして投入口の上面揺動案内部材が規定間隔以上に開成したときは、開閉検知スイッチが検知作動して、細断用カッターの回転を緊急停止するようにしたことを特徴とする安全な紙葉類投入機構を備えた文書細断機。
【請求項２】
紙葉類の投入口とそれに続く案内空間路と案内送出口とを形成し、前記投入口から紙葉類を投入すると、それは投入口に続く案内空間路と案内送出口を経て回転する細断用カッターに送り、紙葉類を細断することのできる紙葉類投入機構を有する文書細断機であって、
当該紙葉類投入機構は、基枠に挿入受板部とそれに続く案内受板部とその先に続く送出受板部とからなる投入受板体を固設し、当該投入受板体の挿入受板部に相対応するように上面揺動案内部材を配設して開閉自在の投入口となし、当該案内受板部に相対応するように案内空間構成部材を配設して案内空間路となし、当該送出受板部に相対応するように送出口構成部材を配設することにより案内送出口を構成するとともに、
当該案内送出口の先方で細断用カッターとの間には、開閉検知スイッチの検知作動により紙葉類の送込み通路を閉成可能な送込み防止装置を配設しておき、
前記投入口を構成する上面揺動案内部材は、投入口の挿入口側が常開位置より開く領域でのみ揺動自在に枢着するとともに、常開位置係止ストッパと、付勢用発条又は付勢用重しよりなる付勢手段と、開閉検知スイッチとを当該上面揺動案内部材に関わるように配設し、前記上面揺動案内部材が常開位置係止ストッパにより投入口の挿入口が平時は規定間隔に開口した状態となるようにするとともに、前記付勢手段により投入口を構成する上面揺動案内部材が開く方向に揺動する際には安全性が確保できる範囲の所定の負荷がかかるようになし、
前記案内空間路は、投入口の近くから中間部までは投入口の規定間隔より大きい間隔空間部を形成し案内送出口の近くでは次第に狭い間隔空間となるように形成しながら案内送出口にまで到るようになし
前記案内送出口は、挿入されてきた紙葉類を細断カッター方向に送り出すように形成しておき、
投入口に規定量以上に多量の紙葉類が挿入されたり、異物が挿入されたり巻き込まれたりして投入口の上面揺動案内部材が規定間隔以上に開成し、開閉検知スイッチが検知作動したとき、細断用カッターの回転を緊急停止するとともに、送込み防止装置が当該案内送出口と細断用カッターとの間で紙葉類の送込み通路を閉成状態にすることを特徴とする安全な紙葉類投入機構を備えた文書細断機。
【請求項３】
カッター用モーターには、機械的ブレーキ又は電気的ブレーキなどの制動手段を装備するとともに、モーター駆動部に制動回路を設けておき、
投入口に規定量以上に多量の紙葉類が挿入されたり、異物が挿入されたり巻き込まれたりして投入口を構成する上面揺動案内部材の入口が規定間隔以上に開成して開閉検知スイッチが検知作動したとき、前記カッター用モーター駆動部の制動回路が作動して、機械的ブレーキ又は電気的ブレーキなどの制動手段により制動力を発生させて細断用カッターの回転を瞬時に停止し、可及的に惰性回転が起こらないようにしたことを特徴とする請求項１又は請求項２に記載する安全な紙葉類投入機構を備えた文書細断機。
【請求項４】
紙葉類の投入口の挿入口から細断カッターの先端部までの距離を５０ｍｍ以上確保するようにしたことを特徴とする請求項１又は請求項２に記載する安全な紙葉類投入機構を備えた文書細断機。
【請求項５】
基枠には、前記投入口の開閉検知スイッチとともに、投入口紙有無スイッチと、操作基板とを設け、これらを制御部とモーター駆動部とＤＣ電源部とからなるコントロール基板と制御部と連結して、その制御部により制御し得るように構成しておき、
（１）投入口の開閉検知スイッチと投入口紙有無スイッチとにより、平時、投入口の状態を監視するようにしておき、
（２）投入口の開閉検知スイッチにより、投入口が開いていると検知したときは、制御部からの指令によりモーター駆動部が細断用カッターを正回転操作できないようになし、
（３）投入口の開閉検知スイッチにより、投入口が閉じていると検知したきは、制御部からの指令によりモーター駆動部が細断用カッターを操作基板からの操作指令に従って正回転して細断できるようになし、
（４）細断用カッターを操作基板からの操作指令に従って正回転させて細断中に投入口が規定間隔以上に開いたと開閉検知スイッチが検知したときは、更に投入口紙有無スイッチにより投入口に紙葉類が在るか否かを検知するようになし、
（５）投入口紙有無スイッチが、紙葉類の無いことを検知した場合には、制御部からの指令でモーター駆動部が細断用カッターを緊急停止するようになし、
（６）投入口紙有無スイッチが、紙葉類が有りと検知した場合には、制御部からの指令でモーター駆動部が細断用カッターを緊急停止した後、細断用カッターを逆回転させて紙葉類を吐き出すようになし、
上記のように投入口の開閉検知スイッチと投入口紙有無スイッチの検知作動により前記（１）乃至（６）の細断用カッターの回転制御をするようにしたことを特徴とする請求項１に記載する安全な紙葉類投入機構を備えた文書細断機。
【発明の詳細な説明】
【技術分野】
【０００１】
本発明は、文書細断機の紙葉類投入口に手指等の異物を誤って挿入したり不用意に巻き込んだとき、投入口が規定間隔以上に開いて細断用カッターの駆動モーターを制動しながら緊急停止するようにするとともに、投入口から細断用カッターまでの距離を大きくして誤挿入異物が細断用カッターにまで届かないようにし、たとえ異物を誤って挿入した場合でも当該異物を容易に除去できるようにするとともに、誤って挿入された異物が壊われたり、人損事故にならないようにした安全な紙葉類投入機構を備えた文書細断機に関する。
【０００２】
本発明は、種々ある文書細断機の紙葉類投入口に関するトラブルのうち、特に紙葉類投入口における人損事故を防止し、安全性の高い文書細断機を提供せんとするものである。
【背景技術】
【０００３】
従来より、文書細断機の紙葉類投入口に関するトラブルとして、能力以上の多量ま紙葉類が侵入することによる故障や事故、不用意な異物の侵入による故障や事故、侵入した多量な紙葉類や異物が投入口を詰らせる故障や事故、侵入した多量な紙葉類や異物を出来るだけ壊さずに除去することができなくなる事故などが発生している。しかし、中でも「重大なトラブルは、手指の誤挿入や巻き込みにより切断したり潰壊するといった人損事故の発生である。
【０００４】
業界では、このような文書細断機の紙葉類投入口に関するトラブルを予防し、安全で使い易い投入口を実現するため、これまでも様々な工夫や研究がおこなわれてきた。しかし、現実にはいまだに手指の切断や潰壊などの人損事故が後をたたず、社会問題になっている。従来のこの問題に対する基本的対策は「紙葉類投入口を手指等が入らないような狭い間隔にする」という考え方が業界の共通認識であった。これまでに提案されたり、具現化されたりしている紙葉類投入口に関するトラブル防止対策は、いずれもこの基本的な考え方に基づき設計されたものであった。以下、従来の紙葉類投入口に関する安全性のトラブルを防止するための具体的先行事例について述べる。  
【０００５】
【特許文献１】特開２００２−１１３６７号（先行例１）
【特許文献２】特開２００４−３２１９９３号（先行例２）図１１：出願人の先行実施例（先行例３）
【０００６】
先行例１（特開２００２−１１３６７号）は、図９に示すように、紙葉類を投入口Ａから投入し、投入口Ａに続く案内路Ｃを経て回転するカッターＢに送り細断する紙葉類細断装置において、案内路Ｃの開口幅を紙葉類の移動方向に応じて切り換える開口幅切り換え手段Ｄを備え、投入口側からカッター側へ紙葉類が通過可能な開口幅である案内路の送り方向開口幅ｄ１が、カッター側から投入口側へ紙葉類が通過可能な開口幅である案内幅の戻り方向開口幅ｄ２より狭く形成されていることを特徴とする紙葉類細断の紙葉類投入口が提案されている。当該先行発明は、使用者の手指等が誤ってカッターへ触れる虞れがなくなり、細断可能な最大枚数或いは厚さを超えて過度に紙葉類がカッターへ供給されることを制限できる、カッターへ供給されて部分的に細断されかけた紙葉類を投入口から安全に且つ容易に排出することができる、といった効果があるとされている。
【０００７】
この先行例１は、案内路の送り方向の開口幅を小さく設定することにより使用者の手指や異物の不用意な挿入を防止するという発想の発明である。しかし、この先行例１について、指を模したテストピースＰを２枚の紙葉の間に挟んだ状態で投入口から挿入する方法で安全確認実験を行うと、驚くべきことにテストピースＰの太さ寸法が案内路の開口幅より大きいにもかかわらず、簡単にテストピースＰが案内路内に挿入してしまうという結果を確認した。つまり、先行例１の場合でも２枚の紙葉の間に挟んだ状態で投入口から挿入する投入方法をとった場合には、手指を不用意に侵入させてしまうし、それによって手指を切断したり潰壊する等の人損事故を起こす可能性があることが解った。
【０００８】
先行例２（特開２００４−３２１９９３号）は、図１０に示すように、回動自在なL字形板状部材で構成される安全シャッター機構Eが、平時は被細断物Fの挿入方向への回動が規制されているが、トラブルが起こった後は、引き抜き方向に自由回動して開口部Gの間隔が大きく開くようにした。これによりトラブルの原因となる能力以上の被細断文書や異物の侵入を未然に防止し安全性を確保せんとするものである。同時に、もしトラブルが起ってしまった場合は、事後処理が容易であり安全性が確保できるようにした文書細断機の被細断文書投入口である。
【０００９】
当該先行例２は、本出願人が以前に開発した文書細断機の紙葉類投入口に関するトラブル対策の発明である。この先行例２の開発時には、投入口の開口幅を狭く設定すれば、トラブルの原因になる能力以上に多量の被細断文書や異物の侵入を未然に防止することができ、安全性を確保できるとの考えに基づいて開発した技術である。事実、普通の方法で多量の被細断文書や異物を挿入しようとした場合、投入口の開口幅より寸法の大きい物は侵入しなかった。ところが、挿入当初は投入口より寸法が小さいが途中から当該寸法が大きくなるような場合には、紙葉類の厚さ寸法が小さいうちは侵入するが、寸法が大きくなると途中で詰まってしまうトラブルが起ることが解かった。このような途中で詰まるトラブルが起こってしまった場合、詰まった物は強い力で投入口に食い込んだ状態になっているため、これを簡単には引き抜くことができなくなっている。しかし、先行例２において、このようなトラブルが起こった場合、Ｌ字形板状部材を引き抜き方向へ自由回動して開口部Gの間隔が大きく開くようにし簡単に引き抜くことができるようにして、トラブルの事後処理が簡単にできるようにしたものである。また当該先行例２は、投入口に安全シャッター機構Ｅを設け、挿入方向への回動を制限し、その際の隙間を５ｍｍ〜３ｍｍに制限して所定量の紙葉類だけが通るように設計したものである。
【００１０】
その後、発明者は、指を模して作成されたテストピースＰを用いて様々な態様での安全性確認実験を行った。その結果、本発明者が２枚の紙葉の間に当該テストピースＰを挟んだ状態にして投入口から投入する方法を行ったところ、投入口の安全シャッター機構Ｅの隙間を３ｍｍ〜５ｍｍと狭く設定していても、それより寸法の大きいテストピースＰが簡単に安全シャッター機構Eを越えて侵入してしまうことが解った。しかも、侵入した当該テストピースＰは大きく変形し、破損してしまうことも確認した。このように先行例２の場合も、寸法的に大きい物はそれより寸法の小さい投入口には入らないはずと思われていた常識論に反して、２枚の紙葉の間に指を挟んだ投入方法をとった場合には、使用者の手指が侵入するのを防ぐことはできないこと、そのために人損事故を無くすことはできないことが解った。
【００１１】
先行例３（図１１）は、本出願人が、自社の開発した先行例２を更に改良した事例である。当該先行例３は、図１１に示すように、投入口の投入側（入口）に細断可能な最大枚数或いは最大厚さを規制するＬ字形の最大開口幅規制体Hを固設するとともに、投入口のカッター方向供給側（出口）には、平時閉成しているが紙葉類の通過時には自重により挟持しながら細断カッター部の方向に案内するシャッター部Iを配設するようにした文書細断機の紙葉類投入口である。つまり当該先行例３は、投入口の投入側とカッター供給側の２ヶ所で投入された紙葉類をコントロールする点に特徴がある。なお、図示実施例においては、最大開口幅規制体Hにて規制される開口幅は３ｍｍ〜５ｍｍに設定した。
【００１２】
当該先行例３についても、前記テストピースＰを用いた安全性確認実験（図８）を行った。その結果は、図１１に示すように当該テストピースＰは、その寸法が開口幅より大きくとも二枚の紙葉の間に挟んだ状態にして挿入した場合には、簡単に最大開口幅規制体Ｈが規制する間隔を通過して入り込んでしてしまううえ、侵入した当該テストピースＰは大きく変形してしまうことが解かった。しかも、当該実験の場合には、テストピースＰの先端が、細断カッターの噛み合いから２２ｍｍも入り込み、一部が細断される状態になっていることを確認した。これらの実験の結果から、先行例３の場合には固定された最大開口幅規制体Hにより規制される開口幅の最大値を３ｍｍ〜５ｍｍとテストピースの太さより小さくしても、投入方法によっては使用者の手指が入り込んでしまうのを防ぐことはできないこと、その手指等異物の侵入距離は、予想以上に大きいことが解った。つまり、投入口を狭くするという対策だけでは、手指などの不用意な誤挿入事故を防ぐことができないだけでなく、その場合手指を大きく損傷する可能性が大きいとの知見を得た。
【００１３】
以上のように、先行例は、いずれも文書細断機の紙葉類投入口に能力以上の紙葉類が投入できないような種々の規制手段を設けて、規定量以上の紙葉類や手指や異物の不用意な侵入を防止しようとしているが、当社のテストピースＰを用いた安全性確認実験（図１１）の結果では、このような投入口の開口幅の規制という方法では、使用者の手指の誤挿入や不用意な異物の巻き込みを完全に防ぐことができないこと、従って重大な人損事故を防ぐことができないことが解った。
【発明の開示】
【発明が解決しようとする課題】
【００１４】
近年、個人情報の保護が要請される時代となって、文書細断機（シュレッダー）が事業用から個人用まで急速に普及するようになり、市場が拡大した。それにともなって、文書細断機（シュレッダー）の投入口における人損事故が急増している。特に、人損事故によってＰＬ法が適用されると、メーカーとしては致命的な打撃を受けることになる。そのような事例の多発によって文書細断機は、今まで以上に使用上の安全性が要請されている。
【００１５】
しかし、文書細断機の紙葉類投入口に機能上所定の隙間や開口を設けるのは必要不可欠の構成であり、投入口に誤って設計以上の量の紙葉類が挿入したり、予定以外の異物が誤って入るのを避けることはできない。また、その投入口の使い方についても、常に使い慣れた人が正しい使い方で紙葉類を切断しようとする場合ばかりではなく、操作者によって多様な使い方がなされている。しかも不用意にネクタイが巻き込まれたり、被服の一部がまきこまれたりすることもあるし、子供や幼児がいたずらに手指を差し込んでしまうような場合もあり得る。このように文書細断機を操作するという本来の目的の使用態様だけでなく、常識で想定される範囲を超えた使用態様の場合もある。このため文書細断機における人損事故を完全に無くすことは非常に難しい問題であるとされている。
【００１６】
本発明者は、そこで投入口に手指が入り難くするという従来の発想を転換して、投入口に手指が侵入しようとしたら当該投入口の開口幅が逆に広がるように構成し、そのかわり投入口の入口が規定量以上開いたときは、それを検知して細断用カッターを確実に緊急停止させるようにする方がより安全性が高くなると発想した。
【００１７】
しかもこの緊急停止をする方法を採用する場合は、細断速度が速いとストップ信号から細断用カッターが停止するまでの間の惰性回転によって、引き込みが大きくなるという新たな技術的課題があることが解った。文書細断機の業界では各機種毎の細断速度について特段の基準や規定はないが、使用者が苛らつかない細断速度にするには少なくとも５〜６ｍ／min以上の細断速度が必要である。その場合には、ストップ検知信号から細断カッターの惰性回転を止めるまでの時間に紙葉類は大きく引き込まれてしまうことも解った。出願人の普及型文書細断機による惰性回転による引き込み実験では、細断速度が５０Ｈｚで約８ｍ／minとした場合には１秒間に１３３ｍｍ引き込むことになるし、６０Ｈｚでは１秒間に約１５６ｍｍの引き込むことになるとの知見を得た。このように細断速度が速いと、ストップ信号から細断用カッターが停止するまでの惰性回転によって、引き込みが大きくなるので、安全性のために投入口から細断用カッターまでの距離を十分に確保する必要があることも解った。本発明者は、当該投入口から細断用カッターまでの距離については、緊急停止した場合のストップ信号から細断用カッターが停止するまでの時間と惰性回転のデータと一般人の手指の長さなど人間工学的なデータに基づき少なくとも５０ｍｍ以上であれば、殆どの場合、安全性を確保することができるとの知見を得た。更に、万一手指が紙葉類とともに誤挿入した場合でも、手指などの異物を引き抜こうとするときは、投入口が容易に広く開いて、簡単に引き抜くことができるようにする必要もある。
【００１８】
本発明は、このような新しい発想と、実験により得た知見に基づき、安全性を十分考慮した設計を行い、文書細断機の紙葉類投入口における人損事故を確実に防止し、安全性を確保するようにするとともに、万一異物が誤挿入したり、巻き込まれたりするトラブルがあった場合には、簡単に引き抜き除去することができるようにして、事後処理を容易にすることのできる安全な紙葉類投入機構を備えた文書細断機を具現化せんとするものである。
【課題を解決するための手段】
【００１９】
特許を受けようとする第１発明は、紙葉類の投入口とそれに続く案内空間路と案内送出口とを形成し、前記投入口から紙葉類を投入すると、当該投入口に続く案内空間路と案内送出口を経て回転する細断用カッターに送り、紙葉類を細断することのできる紙葉類投入機構を有する文書細断機であって、当該紙葉類投入機構は、基枠に挿入受板部とそれに続く案内受板部とその先に続く送出受板部とからなる投入受板体を固設し、当該投入受板体の挿入受板部に相対応するように上面揺動案内部材を配設して開閉自在な投入口となし、当該案内受板部に相対応するように案内空間構成部材を配設して案内空間路となし、当該送出受板部に相対応するように送出口構成部材を配設することにより案内送出口を構成するようになした。前記投入口を構成する上面揺動案内部材は、投入口の挿入口側が常開位置より開く領域でのみ揺動自在に枢着するとともに、常開位置係止ストッパと、付勢用発条又は付勢用重しよりなる付勢手段と、開閉検知スイッチとを当該上面揺動案内部材に関わるように配設し、前記上面揺動案内部材が常開位置係止ストッパにより投入口の挿入口が平時は規定間隔に開口した状態となるようにするとともに、前記付勢手段により投入口を構成する上面揺動案内部材が開く方向に揺動する際には安全性の確保できる範囲の所定の負荷がかかるようになし、前記案内空間路は、投入口の近くから中間部までは投入口の規定間隔より大きい間隔空間部を形成し案内送出口の近くでは次第に狭い間隔空間となるように形成しながら案内送出口にまで到るようになし、前記案内送出口は、挿入されてきた紙葉類をコントロールしながら細断カッター方向に送り出すように形成しておく。そのうえで投入口に規定量以上に多量の紙葉類が挿入されたり、異物が挿入されたり巻き込まれたりして投入口の上面揺動案内部材が規定間隔以上に開成したときは、開閉検知スイッチが検知作動して、細断用カッターの回転を緊急停止するようにしたことを特徴とする安全な紙葉類投入機構を備えた文書細断機である。
【００２０】
当該第１発明は、本願に係る安全な紙葉類投入機構を備えた文書細断機の基本発明である。投入側から細断用カッター側へ向けて、紙葉類の投入口とそれに続く案内空間路と案内送出口を経て回転する細断用カッターに送り、紙葉類を細断することのできる安全性の高い紙葉類投入機構を有する文書細断機である。
【００２１】
本発明の要部は、前記投入口を挿入受板部と上面揺動案内部材とによって構成し、投入口の挿入口側が常開位置より開成する領域でのみ揺動自在に枢着するように構成し、投入口の挿入口が常時所定の間隔に開口した状態になっているが、投入口が開成する方向に揺動しその挿入口の開口幅が規定間隔以上に広く開成したときは、開閉検知スイッチが検知作動して細断用カッターの回転を緊急停止するように構成されていることが特徴である。即ち投入口に手指や異物が侵入しようとすると当該投入口の上面揺動案内部材が広がる方向に揺動して、投入口の挿入口の開口幅が規定間隔以上に開くと、それによって細断用カッターを確実に緊急停止させるように機能するのである。
【００２２】
尚、投入口を構成する上面揺動案内部材が開成する方向に揺動する際には、付勢手段により安全性の確保できる範囲の所定の負荷がかかるようにする。その「安全性の確保できる範囲」とは、紙葉類を挿入しようとする際、ちょっとした刺激で簡単に開成してしまう誤作動により、紙葉類の規定量の厚さを正確に測定できなくなるのを防ぐ効果の生じる負荷を最小負荷となし、人間の手指が損傷しない程度の負荷を最大負荷とする範囲という意味である。
【００２３】
安全性確保のため投入口の挿入口から細断用カッターの先端までの距離を大きく確保する必要があるが、本発明の場合、簡単にそれを実現できる利点がある。それは前記上面揺動案内部材がその長さを自由に調整して設計することができるからである。これにより、投入口の長さを簡単に調整できることになり、その結果投入口の挿入口から細断用カッターまでの距離を調整できることになった。このため、投入口から細断用カッターの先端までの距離が小さい既存の文書細断機であっても、その投入口の前に前記上面揺動案内部材を取り付けるとともに、その挿入口の開口幅が規定間隔以上に広く開成したとき検知作動する開閉検知スイッチと、この開閉検知スイッチの指定により細断用カッターの回転を緊急停止する制御部を装着することにより、簡単に既存の危険性の高い文書細断機を本発明に係る安全性の高い紙葉類投入機構を有する文書細断機に改造することが可能である。
【００２４】
また、前記案内空間路は、投入受板体の案内受板部と案内空間構成部材とで構成されており、案内空間路の中間部までは投入口より大きい間隔空間部を有し案内送出口の近くでは次第に狭い間隔空間となり案内送出口に誘導するように形成されている。このため当該案内空間路では、投入口より大きい間隔空間部により誤挿入した紙葉類や異物が不用意に壊れることがないうえ、簡単に引き抜き除去することが出来ることになった。
【００２５】
特許を受けようとする第２発明は、紙葉類の投入口とそれに続く案内空間路と案内送出口とを形成し、前記投入口から紙葉類を投入すると、それは投入口に続く案内空間路と案内送出口を経て回転する細断用カッターに送り、紙葉類を細断することのできる紙葉類投入機構を有する文書細断機であって、当該紙葉類投入機構は、基枠に挿入受板部とそれに続く案内受板部とその先に続く送出受板部とからなる投入受板体を固設し、当該投入受板体の挿入受板部に相対応するように上面揺動案内部材を配設して開閉自在な投入口となし、当該案内受板部に相対応するように案内空間構成部材を配設して案内空間路となし、当該送出受板部に相対応するように送出口構成部材を配設することにより案内送出口を構成するとともに、当該案内送出口の先方で細断用カッターとの間には、開閉検知スイッチの作動により紙葉類の送込み通路を閉成可能な送込み防止装置を配設しておく。前記投入口を構成する上面揺動案内部材は、投入口の挿入口が常開位置より開く領域でのみ揺動自在に枢着するとともに、常開位置係止ストッパと、付勢用発条又は付勢用重しよりなる付勢手段と、開閉検知スイッチとを当該上面揺動案内部材に関わるように配設し、前記上面揺動案内部材が常開位置係止ストッパにより投入口の挿入口が平時は規定間隔に開口した状態となるようにするとともに、前記付勢手段により投入口を構成する上面揺動案内部材が開く方向に揺動する際には安全性の確保できる範囲の所定の負荷がかかるようになし、前記案内空間路は、投入口の近くから中間部までは投入口より大きい間隔空間部を有し案内送出口の近くでは次第に狭い間隔空間となり案内送出口に誘導するように形成されており、案内送出口は、挿入されてきた紙葉類を細断カッター方向に送り出すように形成されている。そのうえで、投入口に規定量以上に多量の紙葉類が挿入されたり、異物が挿入されたり巻き込まれたりして投入口の上面揺動案内部材が規定間隔以上に開成し、開閉検知スイッチが検知作動したとき、細断用カッターの回転を緊急停止するとともに、送込み防止装置が当該案内送出口と細断用カッターとの間で紙葉類の送込み通路を閉成状態にすることを特徴とする安全な紙葉類投入機構を備えた文書細断機である。
【００２６】
当該第２発明は、基本発明である第１発明に、当該案内送出口の先方で細断用カッターとの間の位置には、開閉検知スイッチの作動により紙葉類の送込み通路を開閉自在な送込み防止装置を配設しておき、異物が挿入されたり巻き込まれたりして投入口が規定間隔以上に開成したときは、開閉検知スイッチが検知作動して、細断用カッターの回転を緊急停止するとともに、送込み防止装置が当該案内送出口と細断用カッターとの間で紙葉類の送込み通路が閉成状態となるようにした点が相違する特徴点である。
【００２７】
文書細断機は、細断用カッターの回転速度が速くなると、細断用カッターの回転を緊急停止するように設計していても、開閉検知スイッチがストップ検知信号を発してから細断カッターの惰性回転を止めるまでの時間に紙類が引き込まれてしまうことを避けることができない。本発明は、そのような場合でも、細断用カッターの直前で送込み防止装置が紙葉類の送込み通路を閉成状態となして、不用意に投入口に誤挿入し引き込まれた異物や手指を細断用カッターまでは到達させないようにして、異物や手指を細断損傷するという重大な人身事故にまでは発展させないようにしたものである。本発明は、第１発明による安全対策を施したうえ、誤って挿入した異物や手指をどんなことがあっても細断用カッターまでは到達させないようにした安全確保策である。
【００２８】
特許を受けようとする第３発明は、カッター用モーターに機械的ブレーキ又は電気的ブレーキなどの制動手段を装備するとともに、カッター用モーター駆動部には制動回路を設けておき、規定量以上に多量の紙葉類が挿入されたり、異物が挿入されたり巻き込まれたりして投入口の上面揺動案内部材が規定間隔以上に開成し、開閉検知スイッチが検知作動したとき、カッター用モーター駆動部の制動回路が作動して、機械的ブレーキ又は電気的ブレーキなどの制動手段により制動力を作用させ細断用カッターの回転を瞬時に停止し、可及的に惰性回転が起こらないようにしたことを特徴とする第１発明又は第２発明に記載する安全な紙葉類投入機構を備えた文書細断機である。
【００２９】
前述したように文書細断機において、細断用カッターの回転速度を速くすると、細断用カッターの回転を緊急停止するように設計していても、開閉検知スイッチがストップ検知信号を発してから細断カッターの惰性回転を止めるまでの時間に紙類が引き込まれてしまうという技術的課題がある。第３発明は、この技術的課題を解消せんとした発明である。開閉検知スイッチが規定間隔以上に広く開いたことを検知したとき、カッター用モーター駆動部の制動回路が作動して、機械的ブレーキ又は電気的ブレーキなどの制動手段により制動力を作用させ細断用カッターの回転を瞬時に停止し、出来るだけ惰性回転が起こらないようにした点が特徴である。
【００３０】
特許を受けようとする第４発明は、紙葉類の投入口の入口から細断カッターの先端部までの距離を５０ｍｍ以上確保するようにしたことを特徴とする第１発明又は第２発明に記載する安全な紙葉類投入機構を備えた文書細断機である。
【００３１】
第４発明は、紙葉類の投入口の入口から細断カッターの先端部までの距離を５０ｍｍ以上確保するように設計することを特徴とするが、これは、開閉検知スイッチがストップ検知信号を発してから細断カッターの惰性回転を止めるまでの時間に紙類が引き込まれてしまうことがあっても５０ｍｍ以上であれば、安全性を確保できると計算して設定された距離である。当該投入口の挿入口から細断カッターの先端部までの距離というのは、紙葉類を挿入する挿入口の規定間隔部分から細断カッターの突っ切り刃先の円周上の最短距離のことで、細断カッターの噛合いポイントまでの距離ではない。５０ｍｍ以上としたのは、人間工学的立場から幼児の指の長さと、緊急停止する際の惰性回転により引き込まれる距離をテストフィンガーによる実験結果などを参考にして安全性が確保できる最小距離として定めたものである。出願人の場合、小型パーソナルタイプの場合は５０ｍｍ以上、大型フロアタイプの場合は８０ｍｍ以上の距離と基準を定めている。
【００３２】
特許を受けようとする第５発明は、基枠に、前記投入口の開閉検知スイッチとともに、投入口紙有無スイッチと、制御部とモーター駆動部とＤＣ電源部とからなるコントロール基板と、操作基板とを設け、これらをコントロール基板の制御部と連結して制御し得るように構成しておく。そのうえで、
（１）投入口の開閉検知スイッチと投入口紙有無スイッチとにより、平時、投入口の状態を監視するようにしておき、
（２）投入口の開閉検知スイッチにより、投入口が開いていると検知したときは、制御部からの指令によりモーター駆動部が細断用カッターを正回転操作できないようにし、
（３）投入口の開閉検知スイッチにより、投入口が閉じていると検知したきは、制御部からの指令によりモーター駆動部が細断用カッターを操作基板からの操作指令に従って正回転して細断できるようにし、
（４）細断用カッターを操作基板からの操作指令に従った正回転により、細断中に投入口が規定間隔以上に開いたと開閉検知スイッチが検知したときは、更に投入口紙有無スイッチにより、投入口に紙葉類が在るか否かを検知し、
（５）投入口紙有無スイッチが、紙葉類の無いことを検知した場合には、制御部からの指令でモーター駆動部が細断用カッターを緊急停止するようになし、
（６）投入口紙有無スイッチが、紙葉類が有りと検知した場合には、制御部からの指令でモーター駆動部が細断用カッターを緊急停止した後、細断用カッターを逆回転させて紙葉類を吐き出すようにする。
本発明は、上記のように投入口の開閉検知スイッチと投入口紙有無スイッチの検知作動により（１）乃至（６）の細断用カッターの回転制御をするようにしたことを特徴とする第１発明に記載する安全な紙葉類投入機構を備えた文書細断機である。
【００３３】
当該第５発明は、投入口の開閉検知スイッチと投入口紙有無スイッチの検知作動により細断用カッターの回転制御を行うようにした紙葉類投入機構を備えた文書細断機である。投入口の開閉検知スイッチにより、規定量以上の紙葉類または異物の誤挿入を検知するとともに、投入口紙有無スイッチの検知によって、紙葉類投入機構内に紙葉類が存在することを検知して、この情報により細断用カッターの回転制御をするようにして安全性を確保した文書細断作業を行うようにしたものである。
【発明の効果】
【００３４】
本発明は、紙葉類の投入口とそれに続く案内空間路と案内送出口とから形成され、投入口に紙葉類を投入すると、当該投入口に続く案内空間路と案内送出口を経て回転する細断用カッターに送り、紙葉類を細断することのできる紙葉類投入機構を有する文書細断機であるが、当該投入口を挿入受板部と上面揺動案内部材とによって構成し、常開位置より開成する領域でのみ揺動自在に枢着するように構成し、投入口の挿入口が常時所定の間隔に開口した状態になっているが、投入口が開成する方向に揺動しその挿入口の開口幅が規定間隔以上に広く開成すると、開閉検知スイッチが検知作動して細断用カッターの回転を緊急停止するように構成されている。
【００３５】
即ち、本発明の安全性確保の方法は、投入口に手指や異物が侵入するのを防ぐのではなく、投入口に手指や異物が侵入したら直ちに検知して細断用カッターを緊急停止させ、それ以上侵入するのを止めて事故にならないようにしたものである。一部侵入を許しながら安全性を確保するためには、異物侵入を直ちに検知すること、侵入した部分が損傷しないように広い空間部を確保すること、投入口から細断カッターまでの距離を大きく確保すること、細断用カッターの回転を緊急停止（可及的に惰性回転がなく停止する）させることなどが必要である。
【００３６】
本発明は、投入口の入口に異物が侵入して開口幅が規定間隔以上に広く開成した時点で直ちに検知し、細断用カッターの回転を緊急停止するようになし、揺動自在な上面揺動案内部材を投入方向に長尺に形成して投入口から案内空間路までの距離を調整できるので、投入口から細断カッターまでの距離を大きく（５０ｍｍ以上に）確保することが容易となるし、案内空間路は、投入口の近くから中間部までは投入口の規定間隔より大きい間隔空間部を形成して、侵入した異物が潰壊したり損傷したりしないようにすることができる。更に、案内送出口の先方で細断用カッターとの間の位置に、開閉検知スイッチの作動により紙葉類の送込み通路を閉成可能な送込み防止装置を配設しておき、異物が挿入されたり巻き込まれたりして投入口が規定間隔以上に開成したとき、開閉検知スイッチが検知作動して、細断用カッターの回転を緊急停止するとともに、送込み防止装置が当該案内送出口と細断用カッターとの間で紙葉類の送込み通路が閉成状態となるようにして侵入した手指や異物を細断用カッターまで到達しないようにすることもできる。
【００３７】
このように、本発明は、投入口に手指や異物が侵入するのを許すが、侵入すると直ちに検知し細断カッターの回転を緊急停止し、手指や異物が細断カッターまで届かないようにするとともに、侵入した手指や異物が損傷しないような構成にすることによって、確実に安全性を確保することができるようにしたものである。
【発明を実施するための最良の形態】
【００３８】
本発明は、紙葉類の投入口１とそれに続く案内空間路２と案内送出口３とから形成され、前記投入口１から紙葉類を投入すると、当該投入口１に続く案内空間路２と案内送出口３を経て回転する細断用カッター４に送り、紙葉類を細断することのできる紙葉類投入機構Ａを有する文書細断機に関する。
【００３９】
当該紙葉類投入機構Ａは、基枠５に挿入受板部６ａとそれに続く案内受板部６ｂとその先に続く送出受板部６ｃとからなる投入受板体６を固設し、当該投入受板体６の挿入受板部６ａに相対応するように上面揺動案内部材７を配設して開閉自在な投入口１となし、当該案内受板部６ｂに相対応するように案内空間構成部材８を配設して案内空間路２となし、当該送出受板部６ｃに相対応するように送出口構成部材９を配設することにより案内送出口３を構成してある。
【００４０】
前記投入口１を構成する上面揺動案内部材７は、投入口１の挿入口が常開位置より開く領域でのみ揺動自在に基枠５に枢着されており、当該上面揺動案内部材７は、その基部に回転用支点となる枢着部７ｂを設けるとともに、揺動基材７ｂの先端部には挿入口７ｃを形成し、揺動基材７ａの枢着部には付勢手段７ｄが設けられている。また、図中１０は常開位置係止ストッパであり、揺動基材７ａが当該常開位置係止ストッパ１０に係止することにより投入口１が平時は設計したとおりの規定間隔３〜６ｍｍに開口した状態となるようにする。
【００４１】
また、上面揺動案内部材７には開閉検知スイッチが配設されており、当該上面揺動案内部材７が揺動して挿入口７ｃが規定間隔以上に開成したとき、当該開閉検知スイッチ１１が検知作動するように構成されている。更に、上面揺動案内部材７は、平時常開位置係止ストッパ１０により投入口１が設計された規定間隔に開口した状態となるようにするとともに、前記付勢手段７ｄにより投入口１を構成する上面揺動案内部材７が開く方向に揺動する際には安全性の確保できる範囲の所定の負荷がかかるようにする。
【００４２】
前記案内空間路２は、投入口１より大きい間隔空間部を有し案内送出口３の近くでは次第に狭い間隔空間となり案内送出口３に誘導するように形成されている。
【００４３】
更に案内送出口３は、挿入されてきた紙葉類を細断用カッター４方向に誘導しながら送り出せるように形成されている。
【００４４】
投入口１に、規定量以上に多量の紙葉類が挿入されたり、異物が挿入されたり巻き込まれたりして投入口１の挿入口７ｃが上面揺動案内部材７が規定間隔以上に開成したときは、開閉検知スイッチ１１が検知作動して、細断用カッター４の回転を緊急停止するようにしたことを特徴とする安全な紙葉類投入機構Ａを備えた文書細断機である。
【実施例】
【００４５】
本発明に係る安全な紙葉類投入口機構を備えた文書細断機について図示実施例に基づいて詳細に説明する。図１は、本発明に係る安全な紙葉類投入機構を備えた文書細断機の一実施例を示す要部縦断構成図であり、図２は、本発明に係る安全な紙葉類投入機構を備えた文書細断機の他実施例を示す要部縦断構成図であり、図３は、本発明に係る安全な紙葉類投入機構を備えた文書細断機の他実施例であって、その投入口を構成する上面揺動案内部材が平時の規定間隔に開口した状態となした文書細断機の要部縦断構成図であり、図４は、図３で示した安全な紙葉類投入機構を備えた文書細断機の実施例であって、その投入口を構成する上面揺動案内部材が完全に開口した状態となした文書細断機を示す要部縦断構成図であり、図５は、図３で示した安全な紙葉類投入機構を備えた文書細断機を用いて安全確認実験を行った状態を示す要部縦断構成図である。また、図６は、第２発明に係る安全な紙葉類投入機構を備えた文書細断機の実施例を示す要部縦断構成図であり、図７は、第５発明に係る安全な紙葉類投入機構を備えた文書細断機に装着する電装ブロック図であり、図８は、第５発明に係る安全な紙葉類投入機構を備えた文書細断機の実施例を示す投入口の開閉と細断用カッターの回転制御を示す流れ図である。また、図９は、従来の文書細断機の投入口の先行例１を示す縦断構成図であり、図１０は、従来の文書細断機の投入口の先行例２を示す縦断構成図である。  
更に、図１１は、先行例３の文書細断機の安全紙葉類投入口機構を用いて安全確認実験を行った結果の異常状態を示す縦断構成図である。
【００４６】
図１は、第１発明に係る安全な紙葉類投入機構を備えた文書細断機の一実施例を示す要部縦断構成図であり、図２、図３は、第１発明に係る安全な紙葉類投入機構を備えた文書細断機の他実施例を示す要部縦断構成図である。
【００４７】
これら本発明の基本構成は、紙葉類の投入口１とそれに続く案内空間路２と案内送出口３とから形成され、前記投入口１から紙葉類を投入すると、当該投入口１に続く案内空間路２と案内送出口３を経て回転する細断用カッター４に送り、紙葉類を細断することのできる紙葉類投入機構Ａを有する文書細断機である。
【００４８】
当該紙葉類投入機構Ａは、基枠５に挿入受板部６ａとそれに続く案内受板部６ｂとその先に続く送出受板部６ｃとからなる投入受板体６を固設し、当該投入受板体６の挿入受板部６ａに相対応するように上面揺動案内部材７を配設して開閉自在な投入口１となし、当該案内受板部６ｂに相対応するように案内空間構成部材８を配設して案内空間路２となし、当該送出受板部６ｃに相対応するように送出口構成部材９を配設することにより案内送出口３を構成する。
【００４９】
前記投入口１を構成する上面揺動案内部材７は、投入口１の挿入口７ｃが常開位置より開く領域でのみ揺動自在に基枠５に枢着されている。当該上面揺動案内部材７は、揺動基材７ａの基部に回転用支点となる枢着部７ｂを設けるとともに、揺動基材７ｂの先端部には挿入受板部６ａと相対応して紙葉類が入り易い挿入口７ｃを形成し、更に揺動基材７ａの枢着部には付勢用発条が付勢手段７ｄとして設けられている。また、図中１０は常開位置係止ストッパであり、揺動基材７ａが当該常開位置係止ストッパ１０に係止することにより投入口１の挿入口７ｃが平時は設計したとおりの規定間隔に開口した状態となるようにする。当該実施例では、その規定間隔を３ｍｍに設定した。なぜなら本実施例は、パーソナル用の小型機であり、約３０枚の紙葉が挿入できるようにすれば、充分だからである。尚、業務用機の場合には、処理量が増えるので規定間隔を５〜６ｍｍに設定し、５０〜６０枚の紙葉を同時に挿入することができるようにすることが要請されるからである。
【００５０】
また、図中１１は、上面揺動案内部材７に関わるように配設された開閉検知スイッチであり、これは上面揺動案内部材７が揺動して挿入口７ｃを規定間隔以上に開成したときは、当該開閉検知スイッチ１１が検知作動するように構成されている。更に、上面揺動案内部材７は、平時常開位置係止ストッパ１０により投入口１の挿入口７ｃが設計された規定間隔に開口した状態となるようにするとともに、前記付勢手段７ｄにより投入口１を構成する上面揺動案内部材７が開く方向に揺動する際には安全性の確保できる範囲の所定の負荷がかかるようにしたものである。ここで「安全性の確保できる範囲の所定の負荷」というのは、紙葉類を挿入しようとする際、ちょっとした刺激で簡単に開成してしまう誤作動を防ぎ、実質的に紙葉類の規定量の厚さを正確に測定できるようになる負荷を最小負荷となし、人間の手指が損傷しない程度の負荷を最大負荷とする範囲という意味である。
【００５１】
前記案内空間路２は、投入口１より大きい間隔空間部を有し案内送出口３の近くでは次第に狭い間隔空間となり案内送出口３に誘導するように形成されている。このため、手指などの異物が誤って前記案内空間路２内に侵入した場合でも、投入口１より大きい間隔空間部を有しているので、潰されたり、損傷したりする可能性が殆ど無い。
【００５２】
更に案内送出口３は、挿入されてきた紙葉類を細断用カッター４方向に誘導しながら送り出せるように形成されている。
【００５３】
第１実施例の場合、当該紙葉類投入機構Ａを構成することによって、投入口１から細断用カッター４までの距離を約５０ｃｍとなるように設計した。
そこで、投入口１に、規定量以上に多量の紙葉類が挿入されたり、異物が挿入されたり巻き込まれたりして投入口１の上面揺動案内部材７が規定間隔以上に開成したときは、開閉検知スイッチ１１が検知作動して、細断用カッター４の回転を緊急停止するようにしたことを特徴とする安全な紙葉類投入機構Ａを備えた文書細断機を具現化したものである。
【００５４】
当該第１実施例には、図７に示すような電装ブロックが基枠５に装着されている。当該電装ブロックは、制御部（ＭＰＵ）１３とモーター駆動部１４とＤＣ電源部２２とからなるコントロール基板１５を設けられており、このコントロール基板１５の制御部１３には、操作基板１６、開閉検知スイッチ１１、投入口紙有無スイッチ１２を連結し、更にチップ満杯検知スイッチ１７、ドア開閉検知スイッチ１８が連結されている。当該制御部１３には、モーター駆動部１４を介してカッター用モータ２０と連結されており、前記操作基板１６や開閉検知スイッチ１１、投入口紙有無スイッチ１２、チップ満杯検知スイッチ１７、ドア開閉検知スイッチ１８などから信号が発せられると、その信号は制御部１３で制御され、これによってモータ駆動部１４が制御駆動され、これによってカッター用モータ２０の作動をコントロールするようにしたものである。また図示しないが、カッター用モーター２０には、図示しないが機械的ブレーキ又は電気的ブレーキなどの制動手段を装備しており、モーター駆動部１４には制動回路１９が設けられている。
【００５５】
そして、投入口１に規定量以上に多量の紙葉類が挿入されたり、異物が誤挿入されたり巻き込まれたりして投入口１を構成する上面揺動案内部材７が規定間隔以上に開成して開閉検知スイッチ１１が検知作動すると、前記モーター駆動部１４の制動回路１９が作動して、機械的ブレーキ又は電気的ブレーキなどの制動手段により制動力を発生させて細断用カッター４の回転を瞬時に停止し、可及的に惰性回転が起こらないようにしたものである。
【００５６】
図２は、第１発明に係る安全な紙葉類投入機構を備えた文書細断機の第２実施例を示す要部縦断構成図である。この第２実施例の場合も、紙葉類を細断することのできる紙葉類投入機構Ｘの基本的構造が、投入口１とそれに続く案内空間路２と案内送出口３とから構成されている点は図１の第１実施例と共通している。また、挿入受板部６ａとそれに続く案内受板部６ｂとその先に続く送出受板部６ｃとからなる投入受板体６の構成、投入口１を構成する上面揺動案内部材７、案内空間路２を構成する案内空間構成部材８の構成、案内送出口３を構成する送出口構成部材９の構成なども、図１の第１実施例と共通している。従って、図２において記載されている共通の番号は、同じ構成部材であるのである。
【００５７】
また、第２実施例において投入口１に形成される挿入口７ｃの規定間隔を４ｍｍに設定したものである。尚、第２実施例の場合、当該紙葉類投入機構Ａを構成することによって、投入口１から細断用カッター４までの距離を約５８ｍｍとなるように設計した。
【００５８】
当該第２実施例が図１の第１実施例の構成と相違する点は、上面揺動案内部材７の形状であり、付勢手段７ｄが付勢用重しによって構成されている点である。即ち、上面揺動案内部材７は、揺動基材７ａの基部に回転用支点となる枢着部７ｂを設けるとともに、揺動基材７ａの先端部は挿入受板部６ａと相対応して紙葉類が入り易い挿入口７ｃを形成するように上方に曲がっており、当該揺動基材７ａの基部には枢着部７ｂが形成されており、当該揺動基材７ａの下側には付勢用重しが付勢手段７ｄとして設けられている。
【００５９】
また、図中１０は常開位置係止ストッパであり、揺動基材７ａの付勢用重し７ｄ部分が当該常開位置係止ストッパ１０に係止することにより投入口１が平時は設計したとおりの規定間隔に開口した状態となっている。第２実施例において投入口１に形成される挿入口７ｃの規定間隔の開口は、揺動基材７ａと挿入受板部６ａとの間が６ｍｍに設定してあり、付勢用重し７ｄと挿入受板部６ａとの間を３ｍｍに設定してある。その他開閉検知スイッチ１１が上面揺動案内部材７に関わるように配設されており、当該上面揺動案内部材７が揺動して規定間隔以上に開成したとき、開閉検知スイッチ１１が検知作動するように構成されている点も図１の第１実施例と同じである。尚、第２実施例の場合、当該紙葉類投入機構Ｘを構成することによって、投入口１から細断用カッター４までの距離を約８５ｃｍとなるように設計した。
【００６０】
前記案内空間路２には、投入口１の近くから中間部まで投入口１より大きい間隔空間部が形成されていること、案内送出口３の近くでは案内送出口３に誘導するように次第に狭く形成されていることも図１実施例と同じである。このため、手指などの異物が誤って前記案内空間路２内に侵入した場合でも、投入口１より大きい間隔空間部により不用意に潰されたり、損傷したりすることがない。
【００６１】
更に案内送出口３の構成も、挿入されてきた紙葉類を細断用カッター４方向に誘導しながら送り出せるように形成されている点も共通している。更にまた、投入口１に、規定量以上に多量の紙葉類が挿入されたり、異物が挿入されたり巻き込まれたりして投入口１の上面揺動案内部材７が規定間隔以上に開成したときは、開閉検知スイッチ１１が検知作動して、細断用カッター４の回転を緊急停止するようにしたことも図１の第１実施例と同じである。
【００６２】
図３は、本発明に係る安全な紙葉類投入機構を備えた文書細断機の第３実施例である。この第３実施例の場合も、紙葉類を細断することのできる紙葉類投入機構Ｘの基本的構造が、投入口１とそれに続く案内空間路２と案内送出口３とから構成されている点は図１の実施例と共通している。また、挿入受板部６ａとそれに続く案内受板部６ｂとその先に続く送出受板部６ｃとからなる投入受板体６の構成、投入口１を構成する上面揺動案内部材７、案内空間路２を構成する案内空間構成部材８の構成、案内送出口３を構成する送出口構成部材９の構成なども、図１の実施例と共通している。従って、図３において記載されている番号が第１実施例と共通している点は、同じ構成部材である。
【００６３】
図１の第１実施例の構成と相違する点は、上面揺動案内部材７の形状であり、付勢手段７ｄが付勢用重しによって構成されている点である。この点は、第２実施例と同じである。また、第３実施例は、業務用のものであるため上面揺動案内部材７の長さ寸法が大きい形状になっている。当該第３実施例において投入口に形成される挿入口部７ｃの規定間隔を４ｍｍに設定し、投入口１から細断用カッター４までの距離を約１０７ｍｍとなるように設計した。
【００６４】
その他、この実施例の構造上の相違点は、開閉検知スイッチ１１が投入受板体６に装着されている点と、案内送出口３を構成する送出口構成部材９が案内シャッター方式に構成されており、侵入されてきた紙葉類を案内空間路２から案内シャッターを経て回転する細断用カッター４方向に送りだすようにした点にある。尚、図３中の１２は、送出口構成部材９に取り付けた投入口紙有無スイッチである。
【００６５】
図４は、図３で示した第３実施例が、その投入口１を構成する上面揺動案内部材７が完全に開口した状態に揺動した文書細断機を示す要部縦断構成図である。また、図５は、図３で示した第３実施例の安全な紙葉類投入機構を備えた文書細断機において指を模したテストピースＰを用いて安全確認実験を行った状態を示す要部縦断構成図である。尚、図４と図５に記載する発明は、図３と同じ発明の実施例なので、ここでの番号の説明は省略する。
【００６６】
図６は、第２発明に係る安全な紙葉類投入機構Ｘを備えた文書細断機の第４実施例を示す要部縦断構成図である。この第４実施例は、第２実施例に紙葉類の送込み通路を開閉自在な送込み防止装置２１を追加配設しておき、規定量以上に多量の紙葉類が挿入されたり、異物が挿入されたり巻き込まれたりして投入口の上面揺動案内部材７が規定間隔以上に開成し、開閉検知スイッチ１１が検知作動したとき、細断用カッター４の回転を緊急停止するとともに、送込み防止装置２１が当該案内送出口３と細断用カッター４との間で紙葉類の送込み通路を閉成状態にすることを特徴とする安全な紙葉類投入機構Ｘを備えた文書細断機を具現化したものである。従って、送込み防止装置２１以外の紙葉類投入機構Ｘの構成は第２実施例と同じなので、詳細な説明は省略する。
【００６７】
図７は、第５発明に係る安全な紙葉類投入機構Ｘを備えた文書細断機に備えた電装ブロック図である。これは、少なくとも操作基板１６と開閉検知スイッチ１１と投入口紙有無スイッチ１２に、制御部１３とモーター駆動部１４とＤＣ電源部２２とからなるコントロール基板１５を連結し、更にこれを細断用カッターのカッター用モータ２０と連結するようにしておき、操作基板１６と開閉検知スイッチ１１と投入口紙有無スイッチ１２から発信される信号によりカッター用モータ２０を制御するようにしたものである。
【００６８】
図８は、第５発明に係る安全な紙葉類投入機構Ｘを備え、更に図７に示すような電装ブロックを備えた文書細断機の実施例を示す投入口１の開閉と細断用カッター４の回転制御を示す流れ図である。図７に示すような電装ブロックを備えた文書細断機を用いることにより、本発明に係る文書細断機の細断用カッター４における回転制御を次のように多様に行うことができるのである。
【００６９】
（１）投入口１の開閉検知スイッチ１１と投入口紙有無スイッチ１２とにより、平時、投入口１の状態を監視するようにしておくことができる。
（２）投入口１の開閉検知スイッチ１１により、投入口１が開いていると検知したときは、制御部１３からの指令によりモーター駆動部１４が細断用カッター４を正回転操作できないようにする。
（３）投入口１の開閉検知スイッチ１１により、投入口１が閉じていると検知したきは、制御部１３からの指令によりモーター駆動部１４が細断用カッター４を操作基板１６からの操作指令に従って正回転して細断できるようにする。
（４）細断用カッター４を操作基板１６からの操作指令に従った正回転により、細断中に投入口１が規定間隔以上に開いたと開閉検知スイッチ１１が検知したときは、更に投入口紙有無スイッチ１２により、投入口１に紙葉類が在るか否かを検知する。
（５）投入口紙有無スイッチ１１が、紙葉類の無いことを検知した場合には、制御部１３からの指令でモーター駆動部１４が細断用カッター４を緊急停止するようにする。
（６）投入口紙有無スイッチ１１が、紙葉類が有りと検知した場合には、制御部からの指令でモーター駆動部１４が細断用カッター４を緊急停止した後、細断用カッター４を逆回転させて紙葉類を吐き出すようにする。本発明は、このように投入口１における不用意な進入事故があってもスムーズに事後処理をすることが出来るものである。
上記のように投入口１の開閉検知スイッチ１１と投入口紙有無スイッチ１２の検知作動により（１）乃至（６）の細断用カッター４の回転制御をするようにしたことを特徴とする安全な紙葉類投入機構を備えた文書細断機である。
【００７０】
本発明者らは、図５に示すように文書細断機の投入口の安全性試験を実施して、その安全性を確認した。この投入口の安全性試験は、指を模したテストピースＰを作成し、投入口１への指の誤挿入を想定し、下記の試験を実施することにより、人損事故の恐れのないことを確認するものである。
【００７１】
＜試験方法＞
（１）テストピースＰは、ＵＬ−１０２６／１０１２／１１２／１４９２により規定されたテストフィンガーＴＦ−１６０と同形状のものとする。
（２）テストピースＰ材質・硬度は、ＮＢＲ（ニトリゴム）Ｈｓ６５を使用する。
（３）紙種は、上質紙（６４g／m２）Ａ４とする。
（４）投入角度は、最も入り込み易い角度とする。
（５）細断用紙にテストピースＰを挟み込んで投入する。テストピースＰを挟み込む細断用紙の枚数は、上下に枚数が均等になるようにする。
（６）細断枚数は、２枚、および定格細断枚数、最大細断枚数として実施する。
＜判定＞
テストピースＰが細断用カッターに到達しないことを合格の判定基準とする。
テストピースＰが投入口に挟み込まれ際は、容易に引き抜けることを確認する。
【図面の簡単な説明】
【００７２】
【図１】本発明に係る安全な紙葉類投入機構を備えた文書細断機の一実施例を示す要部縦断構成図である。
【図２】本発明に係る安全な紙葉類投入機構を備えた文書細断機の他実施例を示す要部縦断構成図である。
【図３】本発明に係る安全な紙葉類投入機構を備えた文書細断機の他実施例であって、その投入口を構成する上面揺動案内部材が平時の規定間隔に開口した状態となした文書細断機の要部縦断構成図である。
【図４】図３で示した安全な紙葉類投入機構を備えた文書細断機の実施例であって、その投入口を構成する上面揺動案内部材が完全に開口した状態となした文書細断機を示す要部縦断構成図である。
【図５】図３で示した安全な紙葉類投入機構を備えた文書細断機を用いて安全確認実験を行った状態を示す要部縦断構成図である。
【図６】第２発明に係る安全な紙葉類投入機構を備えた文書細断機の実施例を示す要部縦断構成図である。
【図７】第５発明に係る安全な紙葉類投入機構を備えた文書細断機に装着する電装ブロック図である。
【図８】第５発明に係る安全な紙葉類投入機構を備えた文書細断機の実施例を示す投入口の開閉と細断用カッターの回転制御を示す流れ図である。
【図９】従来の文書細断機の投入口の先行例１を示す縦断構成図である
【図１０】従来の文書細断機の投入口の先行例２を示す縦断構成図である。
【図１１】図１１は、先行例３の文書細断機の安全紙葉類投入口機構を用いて安全確認実験を行った結果の異常状態を示す縦断構成図である。
【符号の説明】
【００７３】
１：投入口
２：案内空間路
３：案内送出口
４：細断用カッター
５：基枠
６：投入口受板体
６ａ：挿入受板部
６ｂ：案内受板部
６ｃ：送出受板部
７：上面揺動案内部材
７ａ：揺動基材
７ｂ：枢着部
７ｃ：挿入口部
７ｄ：付勢手段
８：案内空間構成部材
９：送出口構成部材
１０：常開位置係止ストッパ
１１：開閉検知スイッチ
１２：投入口紙有無スイッチ
１３：制御部（ＭＰＵ）
１４：モーター駆動部
１５：コントロール基板
１６：操作基板
１７：チップ満杯検知スイッチ
１８：ドア開閉検知スイッチ
１９：制動回路
２０：カッター用モータ
２１：送込み防止装置部
２２：ＤＣ電源部
Ａ：投入口
Ｂ：カッター
Ｃ：案内路
Ｄ：開口幅切り換え手段
Ｅ：安全シャッター機構
Ｆ：被細断物
Ｇ：開口部
Ｈ：最大開口幅規制体
Ｉ：シャッター部
Ｐ：テストピース
【図１】
2008168242.tif 000003
【図２】
2008168242.tif 000004
【図３】
2008168242.tif 000005
【図４】
2008168242.tif 000006
【図５】
2008168242.tif 000007
【図６】
2008168242.tif 000008
【図７】
2008168242.tif 000009
【図８】
2008168242.tif 000010
【図９】
2008168242.tif 000011
【図１０】
2008168242.tif 000012
【図１１】
2008168242.tif 000013